(57)【特許請求の範囲】
【請求項１】
データ入力域を有する入力フォームが通信回線を介して送信されて来た際に、入力フォームを受信する受信手段と、
入力フォームのデータ入力域に入力可能な最大データ量が規定量を越えるか否かを判別するデータ量判別手段と、
このデータ量判別手段によって規定量を越えることが判別された際に通信回線の接続を切る通信制御手段と、
この通信制御手段によって通信回線の接続が切られている状態で入力フォームのデータ入力域に入力されたデータを通信回線の再接続によって送信する送信手段とを具備したことを特徴とする通信機能付きデータ処理装置。
【請求項２】
入力フォームのデータ入力域を解析し、そのデータ入力域に入力可能な最大データ量を算出する入力フォーム解析手段を設け、
この入力フォーム解析手段によって算出されたデータ量に基づいて前記データ量判別手段は、当該データ量が規定量を越えるか否かを判別するようにしたことを特徴とする請求項１記載の通信機能付きデータ処理装置。
【請求項３】
前記データ量判別手段によって規定量を越えることが判別された際に、その旨をメッセージ出力する出力手段を設け、
前記通信制御手段は所定の入力操作に応答して通信回線の接続を切るようにしたことを特徴とする請求項１記載の通信機能付きデータ処理装置。
【請求項４】
前記データ量判別手段は、入力フォームのデータ入力域にデータを入力する入力操作が開始された際に、データ入力域に入力可能な最大データ量が規定量を越えるか否かを判別するようにしたことを特徴とする請求項１記載の通信機能付きデータ処理装置。
【請求項５】
データ入力域を有する入力フォームが通信回線を介して送信されて来た際に、入力フォームを受信する受信手段と、
入力フォームのデータ入力域に対してデータを入力する入力操作が開始されたか否かを判別する入力開始判別手段と、
この入力開始判別手段によって入力開始が判別されてからの経過時間を計測する時間計測手段と、
この時間計測手段によって得られた経過時間が規定時間を越えたか否かを判別する時間判別手段と、
この時間判別手段によって規定時間を越えたことが判別された際に、通信回線の接続を切る通信制御手段と、
この通信制御手段によって通信回線の接続が切られている状態で入力フォームのデータ入力域に入力されたデータを通信回線の再接続によって送信する送信手段とを具備したことを特徴とする通信機能付きデータ処理装置。
【請求項６】
コンピュータに対して、
データ入力域を有する入力フォームが通信回線を介して送信されて来た際に、入力フォームを受信する機能と、
入力フォームのデータ入力域に入力可能な最大データ量が規定量を越えるか否かを判別する機能と、
規定量を越えることが判別された際に通信回線の接続を切る機能と、
通信回線の接続が切られている状態で入力フォームのデータ入力域に入力されたデータを通信回線の再接続によって送信する機能を実現させるためのプログラムを記録した記録媒体。
【請求項７】
コンピュータに対して、
データ入力域を有する入力フォームが通信回線を介して送信されて来た際に、入力フォームを受信する機能と、
入力フォームのデータ入力域に対してデータを入力する入力操作が開始されたか否かを判別する機能と、
入力開始が判別されてからの経過時間を計測する機能と、
計測された経過時間が規定時間を越えたか否かを判別する機能と、
規定時間を越えたことが判別された際に、通信回線の接続を切る機能と、
通信回線の接続が切られている状態で入力フォームのデータ入力域に入力されたデータを通信回線の再接続によって送信する機能を実現させるためのプログラムを記録した記録媒体。
【発明の詳細な説明】
【０００１】
【発明の属する技術分野】
この発明は、通信回線の接続を制御することで通信コストの節約を図る通信機能付きデータ処理装置およびそのプログラム記録媒体に関する。
【０００２】
【従来の技術】
従来、インターネットに接続されているパーソナルコンピュータ等のデータ処理装置においては、ダイヤルアップ接続に対する科金やダイヤル回線料金を節約するための回線制御方法として、送受信が全て終了したときに回線を切る方法の他、送受信を行っていないアイドリング時間を監視し、アイドリング時間が所定時間に達した際に回線を切る方法が知られている。
ところで、インターネットで用いられる情報検索システムＷＷＷ（ワールドワイドウェッブ）などを利用しているときに、データ入力域を有する入力フォーム（例えばアンケートやＣＧＩメールなど）を受信した際にはこの入力フォームを表示出力させ、この入力フォームのデータ入力域に各種のデータをキー入力するようにしているが、データ入力量が多かったり、入力が面倒な場合にはその入力に時間を要することになる。
【０００３】
【発明が解決しようとする課題】
しかしながら、入力フォームへのデータ入力に時間を要したとしても、アイドリング時間が規定時間に達するまでは回線が接続されたままとなるため、手動で通信回線の接続を切るまでは、インターネット接続に対する科金やダイヤル回線料金を無駄に消費してしまう。
第１の発明の課題は、通信回線を介して送信されて来た入力フォームの形式によってそのデータ入力域に入力を要するデータ量が多い場合に、通信回線の接続を切り、データ入力をオフライン状態で行うことで通信コストを大幅に節約できるようにすることである。
第２の発明の課題は、通信回線を介して送信されて来た入力フォームのデータ入力域にデータを入力する操作が遅い場合に、通信回線の接続を切り、データ入力をオフライン状態で行うことで、通信コストを大幅に節約できるようにすることである。
【０００４】
【課題を解決するための手段】
この発明の手段は次の通りである。
請求項１記載の発明は、データ入力域を有する入力フォームが通信回線を介して送信されて来た際に、入力フォームを受信する受信手段と、入力フォームのデータ入力域に入力可能な最大データ量が規定量を越えるか否かを判別するデータ量判別手段と、このデータ量判別手段によって規定量を越えることが判別された際に通信回線の接続を切る通信制御手段と、この通信制御手段によって通信回線の接続が切られている状態で入力フォームのデータ入力域に入力されたデータを通信回線の再接続によって送信する送信手段とを具備するものである。
なお、入力フォームのデータ入力域を解析し、そのデータ入力域に入力可能な最大データ量を算出する入力フォーム解析手段を設け、この入力フォーム解析手段によって算出されたデータ量に基づいて前記データ量判別手段は、当該データ量が規定量を越えるか否かを判別するようにしてもよい。
また、前記データ量判別手段によって規定量を越えることが判別された際に、その旨をメッセージ出力する出力手段を設け、前記通信制御手段は所定の入力操作に応答して通信回線の接続を切るようにしてもよい。
更に、前記データ量判別手段は、入力フォームのデータ入力域にデータを入力する入力操作が開始された際に、データ入力域に入力可能な最大データ量が規定量を越えるか否かを判別するようにしてもよい。
請求項１記載の発明においては、データ入力域を有する入力フォームが通信回線を介して送信されて来た場合に、入力フォームのデータ入力域に入力可能な最大データ量が規定量を越えるか否かを判別し、規定量を越える場合にはデータ入力前であっても通信回線の接続を切る。そして、回線が切られている状態で入力フォームのデータ入力域に入力されたデータは通信回線を再接続させることによって送信される。
したがって通信回線を介して送信されて来た入力フォームの形式によってそのデータ入力域に入力を要するデータ量が多い場合に、通信回線の接続を切り、データ入力をオフライン状態で行うことで通信コストを大幅に節約することができる。
【０００５】
請求項５記載の発明は、データ入力域を有する入力フォームが通信回線を介して送信されて来た際に、入力フォームを受信する受信手段と、入力フォームのデータ入力域に対してデータを入力する入力操作が開始されたか否かを判別する入力開始判別手段と、この入力開始判別手段によって入力開始が判別されてからの経過時間を計測する時間計測手段と、この時間計測手段によって得られた経過時間が規定時間を越えたか否かを判別する時間判別手段と、この時間判別手段によって規定時間を越えたことが判別された際に、通信回線の接続を切る通信制御手段と、この通信制御手段によって通信回線の接続が切られている状態で入力フォームのデータ入力域に入力されたデータを通信回線の再接続によって送信する送信手段とを具備するものである。
請求項５記載の発明においては、データ入力域を有する入力フォームが通信回線を介して送信されて来た場合に、その入力域に対してデータを入力する入力操作が開始されると、入力開始からの経過時間を計測し、この経過時間が規定時間を越えたか否かを判別し、規定時間を越える場合には、データ入力途中であっても通信回線の接続を切る。そして、回線が切られている状態で入力フォームのデータ入力域に入力されたデータは、通信回線を再接続させることによって送信される。
したがって、通信回線を介して送信されて来た入力フォームのデータ入力域にデータを入力する操作が遅い場合に、通信回線の接続を切り、データ入力をオフライン状態で行うことで、通信コストを大幅に節約することができる。
【０００６】
【発明の実施の形態】
以下、図１〜図５を参照してこの発明の一実施形態を説明する。
図１（Ａ）は通信機能付きデータ処理装置の全体構成を示したブロック図で、このデータ処理装置はインターネットに接続可能なものである。
ＣＰＵ１はＲＡＭ２内にロードされている各種プログラムにしたがってこの通信機能付きデータ処理装置の全体動作を制御する中央演算処理装置である。記憶装置３はオペレーティングシステムや各種アプリケーションプログラム、データファイル、文字フォントデータ等が予め格納されている記憶媒体４やその駆動系を有している。この記憶媒体４は固定的に設けたもの、もしくは着脱自在に装着可能なものであり、フロッピーディスク、ハードディスク、光ディスク、ＲＡＭカード等の磁気的・光学的記憶媒体、半導体メモリによって構成されている。また、記憶媒体４内のプログラムやデータは、必要に応じてＣＰＵ１の制御により、ＲＡＭ２にロードされる。更に、ＣＰＵ１は通信回線等を介して他の機器側から送信されて来たプログラム、データを受信して記憶媒体４に格納したり、他の機器側に設けられている記憶媒体に格納されているプログラム、データを通信回線等を介して使用することもできる。
そして、ＣＰＵ１にはその入出力周辺デバイスである入力装置５、表示装置６、印刷装置７がバスラインを介して接続されており、入出力プログラムにしたがってＣＰＵ１はそれらの動作を制御する。
入力装置５は文字列データを入力したり、各種コマンドを入力するキーボードの他、マウス等のポインティングデバイスを有している。表示装置６は多色表示を行う液晶表示装置やＣＲＴ表示装置あるいはプラズマ表示装置等であり、また印刷装置７はフルカラープリンタ装置で、熱転写やインクジェットなどのノンインパクトプリンタあるいはインパクトプリンタである。
【０００７】
図１（Ｂ）はＲＡＭ２の主要構成を示したもので、ＲＡＭ２には各種のメモリ領域が割り当てられている。システムワークメモリ２−１にはダヤルアップによるインターネット接続時に起動されるプラウザが記憶装置３からロードされる。受信データメモリ２−２はインターネット接続によって通信回線を介して送信されて来たテキスト、画像等のデータを記憶保持するもので、その内容は表示画面上に表示出力される。アイドリングタイマ２−３は何も送受信を行っていないアイドリング時間を計測するタイマで、このアイドリング時間が規定時間を越えた際に、通信回線を自動的に切るようにしている。入力文字数カウンタ２−４はＷＷＷのページを作成するためのＨＴＭＬ文書の中にデータ入力域を有する入力フォーム（アンケートやＣＧＩメール等）が含まれている場合に、そのデータ入力域に入力可能な最大文字数をカウントするもので、そのカウント数が規定値を越えた際に通信回線を自動的に切るようにしている。入力時間監視タイマ２−５は入力フォームのデータ入力域に対してデータを入力する入力操作が開始されてからの経過時間を計測するもので、この経過時間が規定時間を越えた際に、通信回線を自動的に切るようにしている。規定値メモリ２−６はアイドリングタイマ２−３、入力文字数カウンタ２−４、入力時間監視タイマ２−５の値にしたがって自動的に回線を切断するか否かを判断するための規定値を記憶する。再接続メモリ２−７は回線を自動的に切る際に、現在のダイヤルNo等を記憶保持するもので、再接続にその内容が呼び出されて通信回線の再接続が行われる。
【０００８】
次に、この通信機能付きデータ処理装置の動作を図２〜図４に示すフローチャートにしたがって説明する。ここで、これらのフローチャートに記述されている各機能を実現するためのプログラムは、ＣＰＵ１が読み取り可能なプログラムコードの形態で記憶媒体４に記憶されており、その内容がＲＡＭ２内にロードされている。
図２はインターネット接続でＷＷＷを利用する場合の動作を示したフローチャートである。
先ず、ユーザはプラウザの起動を指定すると共に（ステップＡ１）、ダイヤルアップ接続を行い（ステップＡ２）、任意のｗｅｂページへのアクセスを指定する（ステップＡ３）。ここで、ＣＰＵ１はプラウザにしたがった処理を実行し、指定ｗｅｂページを表示出力させると共にアイドリングタイマ２−３の計時動作をスタートさせる（ステップＡ４）。そして、指定ｗｅｂページのＨＴＭＬ文書を解析する処理を行う（ステップＡ５）。
【０００９】
図３はデＨＴＭＬ文書解析処理を示したフローチャートである。
先ず、ＣＰＵ１は入力文字数カウンタ２−４の内容をリセットする（ステップＢ１）。そして、ＨＴＭＬ文書内のタグを順次解析し、データ入力に関するタグ、つまりｉｎｐｕｔタグやｔｅｘｔ  ａｒｅａタグが含まれているかを調べる（ステップＢ２、Ｂ３）。ここで、ｉｎｐｕｔタグやｔｅｘｔ  ａｒｅａタグが有れば、入力フォームを含むＨＴＭＬ文書と判断し、そのタグで示されているデータ入力域の大きさがＨＴＭＬ文書中に定義されているかを調べ（ステップＢ４）、定義されていれば、その大きさ（半角サイズの最大入力文字数）を読み込むが（ステップＢ５）、定義されていなければ、データ入力域の大きさを算出する（ステップＢ６）。この場合、半角文字サイズでそのデータ入力域に入力可能な最大文字数を求める。そして、ステップＢ５、Ｂ６で得られたデータ入力域の大きさを入力文字数カウンタ２−４に累計する処理が行われる（ステップＢ７）。そして、次のタグを指定し（ステップＢ８）、ｗｅｂページのＨＴＭＬ文書中に存在するタグを全て指定し終ったかを調べ（ステップＢ９）、タグの終了が検出されるまでステップＢ２に戻り、ＨＴＭＬ文書中の入力フォームを解析する処理を繰り返す。この結果、例えば、ＨＴＭＬ文書中に図５に示したような入力フォームが含まれている場合には、“名前”、“メールアドレス”、“コメント”に対応する各データ入力域毎にその大きさが半角サイズの文字数として入力文字数カウンタ２−４に累計されるため、入力文字数カウンタ２−４の値は各データ入力域の大きさを合計した値、つまり、この入力フォーム全体に入力可能な最大入力文字数となる。
【００１０】
このようなＨＴＭＬ文書解析処理が終ると、入力文字数カウンタ２−４の内容に基づいてその文書中に入力フォームが存在するかを調べる（図２のステップＡ６）。ここで、入力文字数カウンタ２−４の値が“０”であれば入力フォーム無しと判断されるが、“０”でなければアンケートメールなどの入力フォームが含まれていると判断される。いま、入力フォームが含まれていないｗｅｂページが表示されている場合であれば別のｗｅｂページに切り替えるためにそのアクセスが指定されたかを調べる（ステップＡ８）。ここで、別のｗｅｂページが指定されなければ、アイドリングタイマ２−３の計測時間（アイドリング時間）と規定値メモリ２−６内に設定されているアイドリング監視用の規定時間とを比較し、何も送受信が行われていないアイドリング状態がその時間継続したままとなっているかを調べる（ステップＡ９）。ここで、規定時間が過ぎていなければ、ステップＡ８に戻り、別のｗｅｂページへのアクセスが指定されるまでアイドリングタイマ２−３を監視するが、規定時間が過ぎた場合には、その旨をユーザに報知するために回線を切断するかのメッセージ表示が行われる（ステップＡ１０）。この場合、ユーザはそのメッセージを確認し、回線を接続したままとするには、その旨を宣言するために所定の入力操作を行う（ステップＡ１１）。すると、ステップＡ１２に進み、再びアイドリングタイマ２−３がリセットスタートされたのちステップＡ８に戻り、回線の接続状態は保持されるが、上述の入力操作が行われなかった場合にはダイヤルアップ接続を自動的に切断する処理が行われる（ステップＡ１３）。このようにアイドリング時間に応じて回線が切られている状態において、別のｗｅｂページへのアクセスが指定されたか（ステップＡ１４）、プラウザの終了が指定されたかを調べ（ステップＡ１５）、何れが指定されるまで待機状態となる。ここで、別のｗｅｂページが指定されると、ステップＡ１６に進み、ダイヤルアップ再接続処理を行い、ステップＡ４に戻る。
いま、ステップＡ８あるいはＡ１４で別のｗｅｂページへのアクセスが指定されたものとすると（ステップＡ８）、そのｗｅｂページが表示出力されると共にアイドリングタイマ２−３がリセットスタートされる（ステップＡ４）。そして、このｗｅｂページのＨＴＭＬ文書を解析する処理が行われ（ステップＡ５）、その結果、当該文書内に入力フォームが含まれていることが検出されると（ステップＡ６）、文書入力処理に移行する（ステップＡ７）。
【００１１】
図４はこの文書入力処理を示したフローチャートである。
先ず、入力フォーム内にデータを入力する入力操作が開始されたかを調べ（ステップＣ１）、データ入力が開始されなければ、アイドリング時間を調べ（ステップＣ２）、規定時間を過ぎた場合には図２のステップＡ１０に進み、回線を切断するかのメッセージ表示が行われる。またアイドリングが規定時間内であれば、ｗｅｂページへのアクセスが指定されたかを調べ（ステップＣ３）、指定された場合には図２のステップＡ４に進み、そのｗｅｂページを表示出力させると共にアイドリングタイマ２−３をスタートさせるが、別のｗｅｂページが指定されなければステップＣ１に戻る。
いま、図５に示すような入力フォームの何れかのデータ入力域にデータを入力するためにその入力操作が開始されたものとすると、ステップＣ１で入力開始が検出されてステップＣ４に進み、入力文字数カウンタ２−４の内容を読み出し、その入力文字数と規定値メモリ２−６内に設定されている規定値とを比較し、入力文字数が規定文字数を越えたかを調べる。ここで、入力フォームに“コメント”の入力域のように比較的大きな入力域が含まれている場合には、入力文字数カウンタ２−４の値はその規定値を越えるが、このような大きな入力域が含まれておらず、入力フォーム全体に入力するデータ量が比較的少ない場合にはステップＣ４で規定値以内であることが検出されるので、ステップＣ５に進み、入力時間監視タイマ２−５をリセットスタートさせる。
【００１２】
そして、入力フォームへのデータ入力が可能な状態となり、文字データが入力されると、その文字データを取り込んで入力フォームの入力粋内に書き込む文字入力処理が行われる（ステップＣ６）。そして、入力フォーム全体に文字を入力し終ったかを調べ（ステップＣ７）、文字入力の終了が指示されなければ、ステップＣ８に進みアイドリングタイマ２−３、入力時間監視タイマ２−５で得られた計測時間とそれに対応する規定値メモリ２−６内の規定時間とを比較し、データ入力が遅く時間を要することによって規定時間を過ぎたかあるいはアイドリングは規定時間を越えたかを調べる。ここで、何れの規定時間も過ぎていなければ、ステップＣ６に戻り、回線を接続したままデータ入力が可能となるが、何れかの規定時間が過ぎた場合には、回線を切断する旨のメッセージ表示が行われる（ステップＣ９）。いま、ダイヤルアップ接続を保持するために所定の入力操作を行うと（ステップＣ１０）、再びアイドリングタイマ２−３をリセットスタートさせると共に（ステップＣ１１）、入力時間監視タイマ２−５をリセットスタートさせ（ステップＣ５）、回線を接続したまま引き続いてデータ入力が可能となるが（ステップＣ６）、上述の入力操作が行われなかったときには、ダイヤルアップ接続が自動的に切断される（ステップＣ１２）。このように文字入力途中において回線を切断する場合には、そのダイヤルNoと現在のｗｅｂページ名が再接続メモリ２−７に記憶される。
【００１３】
一方、入力フォームに対してデータの入力を開始した際に、この入力フォームに入力可能な最大入力文字数が規定文字数を越えていることがステップＣ４で検出された場合にも、ステップＣ９に進み、回線を切断するかのガイダンス表示が行われる。ここで、その接続を保持する入力操作が行われなかったときには、ダイヤルアップ接続が自動的に切断される（ステップＣ１２）。
このように回線が切られてオフライン状態となってもプラウザは終了せず、入力フォームへのデータ入力を引き続き行うことができる（ステップＣ１３）。ここで、文字入力の終了が指示されたかを調べ（ステップＣ１４）、入力フォームの各データ入力域に必要事項を全て入力し終るまで文字入力を続ける。そして、入力フォームの送信ボタンによって“送る”が指示されると、再接続メモリ２−７の内容を読み出してダイヤル再接続処理が行われると共に（ステップＣ１５）、再接続メモリ２−７内のｗｅｂページに対応する入力フォームと共にその入力データを送信する送信処理が行われる（ステップＣ１６）。
そして、図２のステップＡ８に進み、別のｗｅｂページへのアクセスが指定された場合には、ステップＡ４に戻り、以下、上述の動作はプラウザ終了まで繰り返される。
【００１４】
以上のようにこの通信機能付きデータ処理装置においては、ダイヤルアップのインターネット接続において、プラウザを起動させ、ＨＴＭＬ文書中に入力フォームが含まれていれば、その入力フォームの形式を解析することによって入力可能な最大入力文字数を累計し、それが規定文字数を越えていれば、それを条件にダイヤルアップ接続を解除し、データ入力をオフラインで行うことにより、通信コストを節約することができる。この場合、データ入力終了後にダイヤルアップの再接続によって入力データを送信することができる。また、入力フォームの各データ入力域に対応してその大きさがＨＴＭＬ文書中に定義されていれば、その値を単に累計してゆけばよいが、データ入力域の大きさが定義されていなくてもその大きさを算出することができるので、入力フォーム全体の最大入力文字数を正確に求めることができる。この際、データ入力域の大きさに制限がないものが１つでも存在する場合には、それだけで規定文字数を越えることが判断される。また、回線を切るときにはその旨がメッセージ表示されるので、ユーザはそれを確認し、回線を接続したままとするには、所定の入力操作を行えばよい。更に、入力フォームにデータを入力する入力操作が開始された際に、上述の条件を判断し、回線を切るようにしたので、入力フォームに対して入力が開始されるまでは、接続状態を保持することができる。
また、ＨＴＭＬ文書中に入力フォームが含まれている場合に、その入力フォームに対してデータを入力する操作が開始されてからの経過時間を監視し、その経過時間が規定時間を過ぎても入力を終らすことができなかった場合にダイヤルアップ接続を解除し、以降のデータ入力をオフラインで行うことにより通信コストを節約することができる。この場合、データ入力終了後にダイヤルアップの再接続によって入力データを送信することができる。
【００１５】
なお、上述した一実施形態においては、入力フォームに入力可能な最大文字数を累計して入力フォーム全体のデータ入力域の大きさを求めるようにしたが、データ入力域の大きさをドットサイズで求めるようにしてもよい。
また、インターネット接続を例に挙げたが、ＬＡＮ等のネットワークシステムであってもよい。
【００１６】
【発明の効果】
この発明によれば、通信回線を介して送信されて来た入力フォームの形式によってそのデータ入力域に入力を要するデータ量が多い場合に、通信回線の接続を切り、データ入力をオフライン状態で行うことで通信コストを大幅に節約することができる。
また、他の発明によれば、通信回線を介して送信されて来た入力フォームのデータ入力域にデータを入力する操作が遅い場合に、通信回線の接続を切り、データ入力をオフライン状態で行うことで、通信コストを大幅に節約することができる。
【図面の簡単な説明】
【図１】（Ａ）はインターネットに接続される通信機能付きデータ処理装置の全体構成を示したブロック図、（Ｂ）はＲＡＭ２の主要構成を示した図。
【図２】インターネット接続でＷＷＷを利用する場合の動作を示したフローチャート。
【図３】図２のステップＡ５（ＨＴＭＬ文書解析処理）を示したフローチャート。
【図４】図２のステップＡ７（文書入力処理）を示したフローチャート。
【図５】入力フォームを例示した図。
【符号の説明】
１  ＣＰＵ
２  ＲＡＭ
２−１  システムワークメモリ
２−２  受信データメモリ
２−３  アイドリングタイマ
２−４  入力文字数カウンタ
２−５  入力時間監視タイマ
２−６  規定値メモリ
２−７  再接続メモリ
３  記憶装置
４  記憶媒体
５  入力装置
６  表示装置
【図１】
0003728879.tif 000002
【図２】
0003728879.tif 000003
【図３】
0003728879.tif 000004
【図４】
0003728879.tif 000005
【図５】
0003728879.tif 000006